(57)【要約】【課題】車内の床や座席に置いた荷物を安定的に保持することができると共に、シートベルトへの取り付け、取り外しもワンタッチでスピーディーに行うことができるようにする。【解決手段】指示基板２を全体的に磁力を帯びさせた金属板をもって製作する。該支持基板２に、前方に上向きの荷物掛け用フック部３を一体的に張り出させると共に、前面中央部に、タング金具におけるバックルのラッチ係合孔に掛け止める下向きのフック部４を形成する。【選択図】図３
0003139479.tif 000002
【実用新案登録請求の範囲】
【請求項１】
前方に上向きの荷物掛け用フック部を一体的に張り出した支持基板の前面中央部に、タング金具におけるバックルのラッチ係合孔に掛け止める下向きのフック部を形成し、更に該支持基板に、タング金具への磁力による吸着性を附与したことを特徴とするシートベルトを利用した荷物の安定保持具。
【請求項２】
支持基板の全体に磁力を帯びさせることによって該支持基板にタング金具への磁力による吸着性を附与してなる請求項１記載のシートベルトを利用した荷物の安定保持具。
【請求項３】
支持基板におけるラッチ係合孔に掛け止めるフック部の上方部に永久磁石を取着することによって該支持基板にタング金具への磁力による吸着性を附与してなる請求項１記載のシートベルトを利用した荷物の安定保持具。
【考案の詳細な説明】
【技術分野】
【０００１】  本考案はシートベルトを利用した荷物の安定保持具に関し、更に詳細にはシートベルトのタング金具に取り付けて使用し、車内の床や座席に置いた買い物袋等の荷物の手提げ部分を引っ掛けることによって荷物を安定的に保持し、その移動を防止するようになした荷物の安定保持具に係わる。
【背景技術】
【０００２】  車内の床や座席に買い物袋等の荷物を置いた状態で運転しているときにおいて、急ブレーキをかけたり、或いは急角度の方向転換をすると、移動慣性によって急激に荷物が移動し、床に置いた荷物は前方のものにぶつかり、また座席に置いた荷物は座席から転落することがある。そしてこのような場合に、荷物が買い物袋等であると、袋の口から収容物が飛び出し、車内に散乱することになる。また、助手席側においてこのようなことが起こると、散乱した収容物の一部が運転席側の床に入ることもあり得る。そしてこのようになった場合には運転操作に支障を来すことになり、特に容易に変形しない缶や瓶の場合には、これがブレーキペダルの下に入り込んでブレーキ操作を妨げることもあり、重大事故につながら危険性がある。【０００３】  このようなことから、従来においてもシートベルトを利用した荷物の安定保持具が種々案出されている（例えば、特許文献１参照。）。
【特許文献１】登録実用新案第３１３４９４０号公報
【考案の開示】
【考案が解決しようとする課題】
【０００４】  しかし、従来のものはいずれも構成が複雑であり、それを構成する部品点数も多い。したがって、製造コストが高くつくことになり、安価にて提供することができない。また、シートベルトへの着脱も簡単迅速に行うことができない。【０００５】  本考案は上記の点に鑑みなされたものであって、簡単な構成であって部品点数が少なく、したがって製造コストが安上がりで済む分安価にての提供が可能であり、またシートベルトへの取り付け、取り外しもワンタッチでスピーディーに行うことができ、加えて極めてコンパクトであるから、不使用時にはシートベルトから取り外して車内のどこにでも保管しておくことができるようになしたシートベルトを利用した荷物の安定保持具を提供しようとするものである。
【課題を解決するための手段】
【０００６】  而して、本考案の要旨とするところは、前方に上向きの荷物掛け用フック部を一体的に張り出した支持基板の前面中央部に、タング金具におけるバックルのラッチ係合孔に掛け止める下向きのフック部を形成し、更に該支持基板に、タング金具への磁力による吸着性を附与したことを特徴とするシートベルトを利用した荷物の安定保持具にある。【０００７】  また、上記構成において、支持基板にタング金具への磁力による吸着性を附与する手段として、支持基板の全体に磁力を帯びさせることによって行うことを挙げることができる。【０００８】  また、支持基板にタング金具への磁力による吸着性を附与する手段として、上記の他に、支持基板におけるバックルのラッチ係合孔に掛け止めるフック部の上方部に永久磁石を取着することによって行うようにしてもよい。
【考案の効果】
【０００９】  本考案は上記の如き構成であり、簡単な構成であって部品点数が少ないから、製造コストが安上がりで済む分安価にての提供が可能となるものである。また、シートベルトへの取り付け、取り外しもワンタッチでスピーディーに行うことができるものである。加えて極めてコンパクトであるから、不使用時にはシートベルトから取り外して車内のどこにでも保管しておくことができるものである。また、保管するときにおいて、予め車内の所望部位に金属片を設置しておき、この金属片に吸着させるようにすれば、使用するときにスピーディーにタング金具への取り付けを行うことができると共に、保管してある場所が常に一定であることから探し回る必要が無く、加えて走行中の衝撃の弾みで飛んでしまうこともなく、確実に保持することができるものである。【００１０】  また、支持基板にはタング金具への磁力による吸着性を附与してあるから、一旦シートベルトのタング金具に取り付けてセットしたときには、タング金具に支持基板が強く密着することになる。したがって、タング金具におけるバックルのラッチ係合孔に掛け止めたフック部の掛合状態を確実に保持することができるものである。また、上記の如くタング金具に支持基板が磁力によって吸着するから、タング金具に取り付けるときにスピーディーに行うことができるものである。即ち、フック部がタング金具におけるバックルのラッチ係合孔に入り込む位置において支持基板をタング金具に近づけると、支持基板は磁力によってタング金具に吸着して密着する。そしてこの状態において支持基板を下方にずらせば、支持基板とタング金具とは隙間無くずれることになり、もって容易にフック部がタング金具におけるバックルのラッチ係合孔に掛かることになるものである。
【考案を実施するための最良の形態】
【００１１】  以下、本考案に係るシートベルトを利用した荷物の安定保持具を実施するための最良の形態について、図面を参照して説明する。【００１２】  図１は本考案の第１実施形態に係るシートベルトを利用した荷物の安定保持具の斜視図、図２はタング金具に取り付けた状態の斜視図、図３は床に置いた荷物の保持状態の斜視図、図４は後部座席に置いた荷物の保持状態の斜視図である。【００１３】  図中、１はシートベルトを利用した荷物の安定保持具である。２は支持基板であり、全体に磁力を帯びさせた金属板をもって製作されている。また、該支持基板２は、前方に上向きの荷物掛け用フック部３を一体的に張り出すと共に、前面中央部には、タング金具におけるバックルのラッチ係合孔に掛け止める下向きのフック部４を形成している。また、その他、図中５はシートベルト、６はタング金具、７は該タング金具６におけるバックルのラッチ係合孔、８は荷物、図示した例では買い物袋である。【００１４】  次に、本考案の使用方法について説明する。
先ず、図３に示した床に置いた荷物の保持について説明すると、予めシートベルト５のタング金具６に、図２に示す如くフック部４を掛け止めることによってシートベルトを利用した荷物の安定保持具１を取り付ける。そしてシートベルト５を適当な長さまで引き出し、買い物袋８の手提げ部分８ａを荷物掛け用フック部３に引っ掛けるものである。これにより、買い物袋８は、床に接触した状態において、即ちぶらぶらした状態ではなしに、しっかりと、且つまた急ブレーキ等の衝撃によっても移動することなく、安定的に保持されるものである。【００１５】  次に、図４に示した座席に置いた荷物の保持について説明する。尚、図４は後部座席に置いた荷物の保持状態を示している。
この場合には、後部座席のシートベルト５を座席のヘッドレストに一旦巻き回した後に前方に垂らし、該シートベルト５のタング金具６に前記と同様にシートベルトを利用した荷物の安定保持具１を取り付けるものである。そして、この場合においては、買い物袋８は座席に接触した状態において安定的に保持されるものである。【００１６】  次に、図５に示した本考案の第２実施形態に係るシートベルトを利用した荷物の安定保持具について説明する。
本実施形態に係るシートベルトを利用した荷物の安定保持具９は、金属板或いは樹脂板からなる支持基板１０に、その前方に上向きの荷物掛け用フック部１１を一体的に張り出させると共に、前面中央部にタング金具におけるバックルのラッチ係合孔に掛け止める下向きのフック部１２を形成し、更に支持基板１０における前記タング金具におけるバックルのラッチ係合孔に掛け止めるフック部１２の上方部に永久磁石１３を取着してなるものである。尚、本実施形態に係るシートベルトを利用した荷物の安定保持具は、その使用方法については、前記第１実施形態と同様であるから、説明は省略する。
【図面の簡単な説明】
【００１７】
【図１】本考案の第１実施形態に係るシートベルトを利用した荷物の安定保持具の斜視図である。
【図２】タング金具に取り付けた状態の斜視図である。
【図３】床に置いた荷物の保持状態の斜視図である。
【図４】座席に置いた荷物の保持状態の斜視図である。
【図５】本考案の第２実施形態に係るシートベルトを利用した荷物の安定保持具の斜視図である。
【符号の説明】
【００１８】  １  シートベルトを利用した荷物の安定保持具
２  支持基板
３  荷物掛け用フック部
４  フック部
９  シートベルトを利用した荷物の安定保持具
１０  支持基板
１１  荷物掛け用フック部
１２  フック部
１３  永久磁石
【図１】
0003139479.tif 000003
【図２】
0003139479.tif 000004
【図３】
0003139479.tif 000005
【図４】
0003139479.tif 000006
【図５】
0003139479.tif 000007